(57)【要約】【課題】ＲＡＷデータによる記録媒体の記録容量の圧迫を回避しつつ、撮影した画像に対して画質を劣化させることなく画像処理を行う。【解決手段】記録媒体１４に、ＲＡＷファイル記録領域とＪＰＥＧファイル記録領域を確保し、どちらの領域にも十分な空き容量がある場合には、撮像信号からＲＡＷファイルとＪＰＥＧファイルを生成し、ＲＡＷファイル記録領域にＲＡＷファイルを、ＪＰＥＧファイル記録領域にＪＰＥＧファイルを、それぞれ関連付けて記録する。ＲＡＷファイル記録領域の空き容量が所定の容量を下回った場合は、最も古いＲＡＷファイルを消去してＲＡＷファイル記録領域の空き容量を確保する。ＪＰＥＧファイルが再生表示されたとき、関連付けて記録されたＲＡＷファイルが存在しない場合は簡単なレタッチメニューを表示し、ＲＡＷファイルが存在する場合は簡単なレタッチメニューと共にＲＡＷファイルを必要とする画質調整メニューを表示する。【選択図】  図２
2009303122.tif 000002
【特許請求の範囲】
【請求項１】
ＲＡＷデータ記録モードを有さない撮像装置において、
被写体を撮影して被写体像を示す画像データを取得する撮像手段であって、未処理の画像データであるＲＡＷデータを取得する撮像手段と、
前記ＲＡＷデータに対して可視化用の現像処理を含む信号処理を施し、前記ＲＡＷデータから処理済データを生成する信号処理手段と、
前記処理済データ及びＲＡＷデータを記録媒体に記録する記録手段と、を備え、
前記記録手段は、前記記録媒体に前記ＲＡＷデータと該ＲＡＷデータから生成した処理済データとを関連付けて記録し、前記処理済データを記録する記録容量を確保できない場合には記録済のＲＡＷデータを破棄して処理済データを記録することを特徴とする撮像装置。
【請求項２】
前記記録手段は、前記ＲＡＷデータを記録する記録容量を確保できない場合には処理済データのみを記録することを特徴とする請求項１に記載の撮像装置。
【請求項３】
前記記録媒体の記録領域に所定の容量のＲＡＷデータ記録領域を確保する領域確保手段を備え、
前記記録手段は、前記ＲＡＷデータ記録領域にＲＡＷデータを記録する記録容量を確保できない場合には記録済のＲＡＷデータを破棄してＲＡＷデータを記録することを特徴とする請求項１に記載の撮像装置。
【請求項４】
前記破棄されるＲＡＷデータは、最も古いＲＡＷデータ又は所定時間以上経過したＲＡＷデータであることを特徴とする請求項３に記載の撮像装置。
【請求項５】
前記記録媒体は、前記撮像装置に内蔵された内部記録媒体と、前記撮像装置に着脱可能な外部記録媒体とからなり、
前記ＲＡＷデータ記録領域は前記内部記録媒体であることを特徴とする請求項３又は４のいずれかに記載の撮像装置。
【請求項６】
前記記録手段は、前記外部記録媒体が装着されていない場合には、前記内部記録媒体に前記処理済データだけを記録することを特徴とする請求項５に記載の撮像装置。
【請求項７】
前記記録手段は、前記外部記録媒体が装着されると、前記内部記録媒体に記録されている処理済データを前記外部記録媒体に移動することを特徴とする請求項６に記載の撮像装置。
【請求項８】
前記処理済データを表示媒体に再生表示させる表示手段であって、前記再生表示された処理済データを画像処理するための第１の画像処理メニューを前記表示媒体に表示させる表示手段を備え、
前記表示手段は、前記再生表示された処理済データに関連付けて記録されたＲＡＷデータが存在する場合に、前記ＲＡＷデータを必要とする第２の画像処理メニューを前記表示媒体に表示させることを特徴とする請求項１から７のいずれかに記載の撮像装置。
【請求項９】
前記信号処理手段は、前記第１の画像処理メニューが選択されると選択されたメニューに応じた信号処理を前記処理済データに施し、前記第２の画像処理メニューが選択されると選択されたメニューに応じた信号処理を前記処理済データに関連付けて記録されたＲＡＷデータに施すことを特徴とする請求項８に記載の撮像装置。
【請求項１０】
前記第１の画像処理メニューは、トリミング、リサイズ、文字挿入のうち少なくとも１つの項目を含み、前記第２の画像処理メニューは、色温度変更、色合い変更、彩度変更、コントラスト変更、明るさ変更、シャープネス変更、ノイズ低減のうち少なくとも１つの項目を含むことを特徴とする請求項８又は９に記載の撮像装置。
【請求項１１】
前記再生表示された処理済データについて、画像処理による補正の必要の有無をユーザに選択させる手段を備え、
前記画像処理の必要性が無いと選択された場合は前記処理済データと関連付けて記録されたＲＡＷデータを破棄することを特徴とする請求項８から１０のいずれかに記載の撮像装置。
【請求項１２】
ＲＡＷデータ記録モードを有さない撮像装置の撮像制御方法において、
被写体を撮影して被写体像を示す画像データを取得する撮像工程であって、未処理の画像データであるＲＡＷデータを取得する撮像工程と、
前記ＲＡＷデータに対して可視化用の現像処理を含む信号処理を施し、前記ＲＡＷデータから処理済データを生成する信号処理工程と、
前記処理済データ及びＲＡＷデータを記録媒体に記録する記録工程と、を備え、
前記記録工程は、前記記録媒体に前記ＲＡＷデータと該ＲＡＷデータから生成した処理済データとを関連付けて記録し、前記処理済データを記録する記録容量を確保できない場合には記録済のＲＡＷデータを破棄して処理済データを記録することを特徴とする撮像制御方法。
【発明の詳細な説明】
【技術分野】
【０００１】
本発明は撮像装置及び撮像制御方法に係り、特にＲＡＷデータによる記録媒体の記録容量の圧迫を回避しつつ、撮影した画像に対して画質を劣化させることなく再画像処理が可能な撮像装置及び撮像制御方法に関する。
【背景技術】
【０００２】
一般に、ハイエンドクラスのデジタルカメラには、原画像であるＲＡＷデータを記録する機能が備えられている。例えば、通常の画像記録モードの他に、ＲＡＷデータを記録するためのＲＡＷデータ記録モードが備えられたデジタルカメラが知られている。このようなデジタルカメラでは、ＲＡＷデータ記録モードに設定されると、ＲＡＷデータのみを記録したり、通常の画像データと共にＲＡＷデータを記録することが可能となっている。このようにＲＡＷデータを記録しておくことで、ユーザが再生、編集、送信を行なえるデータとしてＲＡＷデータを用いることができ、例えば、画像の劣化を伴うことなく、撮影した画像に対して画像処理を行うことができる。
【０００３】
これに対し、ミドルエンドやローエンドのＡＵＴＯ撮影を中心としたデジタルカメラでは、ＲＡＷデータ記録の機能は省略されている。このようなカメラを使用しているユーザは、撮影後に画像処理を行う機会が少ないと考えられるので、撮影後に画像処理が行えるというメリットと比較して、ファイルサイズの大きいＲＡＷデータを記録することによって記録媒体の記録容量が圧迫されるというデメリットが大きいからである。
【０００４】
しかし、このようなユーザであっても、撮影した画像に対して、意図した画像と異なっていると感じ、画像処理を行って補正を行いたいと考えることもある。このような場面において、ＲＡＷデータが記録されていない場合であっても、撮影した画像に画像処理を行うことは可能であるが、ＪＰＥＧ等の記録画像に対して色処理やホワイトバランス、ガンマ処理などをかけると、画像の劣化が激しいという問題点があった。
【０００５】
このような課題に対して、引用文献１には、入力画像に画像処理を複数段階にわたって施し、各段階の画像と、複数段階の画像処理後の画像とを得る画像処理部と、処理済み画像を複数の中間画像に戻すための複数の履歴情報を求め、複数の履歴情報を処理済み画像に付加して、復元処理が可能な画像ファイルを生成する履歴付加部とを備えた装置が記載されている。引用文献１の装置によれば、復元画像に後から画像処理を追加実施した場合、画像処理の重複による余計な画質劣化を避け、良好な画質の画像を得ることが可能となる。
【特許文献１】特開２００７−６０１５３号公報
【発明の開示】
【発明が解決しようとする課題】
【０００６】
しかしながら、引用文献１の装置では、ファイルサイズがＲＡＷデータを記録する場合と同様に大きくなってしまうという問題点があった。
【０００７】
本発明はこのような事情に鑑みてなされたもので、ＲＡＷデータによる記録媒体の記録容量の圧迫を回避しつつ、撮影した画像に対して画質を劣化させることなく再画像処理が可能な撮像装置及び撮像制御方法を提供することを目的とする。
【課題を解決するための手段】
【０００８】
前記目的を達成するために請求項１に記載の撮像装置は、ＲＡＷデータ記録モードを有さない撮像装置において、被写体を撮影して被写体像を示す画像データを取得する撮像手段であって、未処理の画像データであるＲＡＷデータを取得する撮像手段と、前記ＲＡＷデータに対して可視化用の現像処理を含む信号処理を施し、前記ＲＡＷデータから処理済データを生成する信号処理手段と、前記処理済データ及びＲＡＷデータを記録媒体に記録する記録手段とを備え、前記記録手段は、前記記録媒体に前記ＲＡＷデータと該ＲＡＷデータから生成した処理済データとを関連付けて記録し、前記処理済データを記録する記録容量を確保できない場合には記録済のＲＡＷデータを破棄して処理済データを記録することを特徴とする。
【０００９】
これによれば、記録媒体にＲＡＷデータと該ＲＡＷデータから生成した処理済データとを関連付けて記録し、処理済データを記録する記録容量を確保できない場合は記録済のＲＡＷデータを破棄して処理済データを記録するようにしたので、ＲＡＷデータによる記録媒体の記録容量の圧迫を回避しつつ、記録容量に余裕があるときにはＲＡＷデータを使用して画質を劣化させることなく画像処理を行うことが可能となる。
【００１０】
請求項２に示すように請求項１に記載の撮像装置において、前記記録手段は、前記ＲＡＷデータを記録する記録容量を確保できない場合には処理済データのみを記録することを特徴とする。
【００１１】
これにより、ＲＡＷデータによる記録媒体の記録容量の圧迫を回避することができる。
【００１２】
請求項３に示すように請求項１に記載の撮像装置において、前記記録媒体の記録領域に所定の容量のＲＡＷデータ記録領域を確保する領域確保手段を備え、前記記録手段は、前記ＲＡＷデータ記録領域にＲＡＷデータを記録する記録容量を確保できない場合には記録済のＲＡＷデータを破棄してＲＡＷデータを記録することを特徴とする。
【００１３】
これにより、常に最新の撮影画像のＲＡＷデータを記録しておくことができる。
【００１４】
請求項４に示すように請求項３に記載の撮像装置において、前記破棄されるＲＡＷデータは、最も古いＲＡＷデータ又は所定時間以上経過したＲＡＷデータであることを特徴とする。
【００１５】
これにより、常に新しいＲＡＷデータを記録しておくことができる。
【００１６】
請求項５に示すように請求項３又は４に記載の撮像装置において、前記記録媒体は、前記撮像装置に内蔵された内部記録媒体と、前記撮像装置に着脱可能な外部記録媒体とからなり、前記ＲＡＷデータ記録領域は前記内部記録媒体であることを特徴とする。
【００１７】
これにより、ユーザに意識させることなくＲＡＷデータを記録することができる。
【００１８】
請求項６に示すように請求項５に記載の撮像装置において、前記記録手段は、前記外部記録媒体が装着されていない場合には、前記内部記録媒体に前記処理済データだけを記録することを特徴とする。
【００１９】
これにより、適切に処理済データを記録することができる。
【００２０】
請求項７に示すように請求項６に記載の撮像装置において、前記記録手段は、前記外部記録媒体が装着されると、前記内部記録媒体に記録されている処理済データを前記外部記録媒体に移動することを特徴とする。
【００２１】
これにより、内部記録媒体に処理済データが記録されている場合であっても、ＲＡＷデータ記録領域を確保することができる。
【００２２】
請求項８に示すように請求項１から７のいずれかに記載の撮像装置において、前記処理済データを表示媒体に再生表示させる表示手段であって、前記再生表示された処理済データを画像処理するための第１の画像処理メニューを前記表示媒体に表示させる表示手段を備え、前記表示手段は、前記再生表示された処理済データに関連付けて記録されたＲＡＷデータが存在する場合に、前記ＲＡＷデータを必要とする第２の画像処理メニューを前記表示媒体に表示させることを特徴とする。
【００２３】
これにより、処理済データに関連付けて記録されたＲＡＷデータが存在する場合は、画質を劣化させることなく画像処理を行うことができる。
【００２４】
請求項９に示すように請求項８に記載の撮像装置において、前記信号処理手段は、前記第１の画像処理メニューが選択されると選択されたメニューに応じた信号処理を前記処理済データに施し、前記第２の画像処理メニューが選択されると選択されたメニューに応じた信号処理を前記処理済データに関連付けて記録されたＲＡＷデータに施すことを特徴とする。
【００２５】
これにより、処理済データに関連付けて記録されたＲＡＷデータが存在する場は、画質を劣化させることなく画像処理を行うことができる。
【００２６】
請求項１０に示すように請求項８又は９に記載の撮像装置において、前記第１の画像処理メニューは、トリミング、リサイズ、文字挿入のうち少なくとも１つの項目を含み、前記第２の画像処理メニューは、色温度変更、色合い変更、彩度変更、コントラスト変更、明るさ変更、シャープネス変更、ノイズ低減のうち少なくとも１つの項目を含むことを特徴とする。
【００２７】
これにより、撮影後に適切な画像処理を行うことができる。
【００２８】
請求項１１に示すように請求項８から１０のいずれかに記載の撮像装置において、前記再生表示された処理済データについて、画像処理による補正の必要の有無をユーザに選択させる手段を備え、前記画像処理の必要性が無いと選択された場合は前記処理済データと関連付けて記録されたＲＡＷデータを破棄することを特徴とする。
【００２９】
これにより、不要な未処理データによる記録手段の記録容量の圧迫を回避することができる。
【００３０】
前記目的を達成するために請求項１２に記載の撮像制御方法は、ＲＡＷデータ記録モードを有さない撮像装置の撮像制御方法において、被写体を撮影して被写体像を示す画像データを取得する撮像工程であって、未処理の画像データであるＲＡＷデータを取得する撮像工程と、前記ＲＡＷデータに対して可視化用の現像処理を含む信号処理を施し、前記ＲＡＷデータから処理済データを生成する信号処理工程と、前記処理済データ及びＲＡＷデータを記録媒体に記録する記録工程とを備え、前記記録工程は、前記記録媒体に前記ＲＡＷデータと該ＲＡＷデータから生成した処理済データとを関連付けて記録し、前記処理済データを記録する記録容量を確保できない場合には記録済のＲＡＷデータを破棄して処理済データを記録することを特徴とする。
【００３１】
これにより、ＲＡＷデータによる記録媒体の記録容量の圧迫を回避しつつ、画像処理を行う場合にはＲＡＷデータを使用して画質を劣化させることなく行うことができる。
【発明の効果】
【００３２】
本発明によれば、記録媒体にＲＡＷデータと該ＲＡＷデータから生成した処理済データとを関連付けて記録し、処理済データを記録する記録容量を確保できない場合は記録済のＲＡＷデータを破棄して処理済データを記録するようにしたので、ＲＡＷデータによる記録媒体の記録容量の圧迫を回避しつつ、記録容量に余裕があるときにはＲＡＷデータを使用して画質を劣化させることなく画像処理を行うことが可能となる。
【発明を実施するための最良の形態】
【００３３】
以下に、本発明を実施するための最良の形態について説明する。
【００３４】
＜第１の実施の形態＞
図１は、デジタルカメラ１の電気的構成を示すブロック図である。
【００３５】
同図に示すように、デジタルカメラ１は、撮像手段１１、カメラ制御手段１２、表示媒体１３、記録媒体１４、及びメモリ１５等を備えて構成される。各部はカメラ制御手段１２に制御されて動作する。
【００３６】
カメラ制御手段１２は、撮像制御手段２１、画像処理手段２２、ＲＡＷファイル生成手段２３、圧縮・伸張手段２４、記録媒体制御手段２５、及び表示手段２６等から構成される。カメラ制御手段１２は、図示しない操作手段からの入力に基づき所定の制御プログラムを実行することにより、デジタルカメラ１の各部を制御する。
【００３７】
撮像手段１１は、図示しないフォーカスレンズ及びズームレンズを含む撮影レンズ、絞り、及びＣＣＤとから構成される。撮像制御手段２１は、撮影レンズのフォーカシング、ズーミング及び絞りの制御を行う。
【００３８】
撮像手段１１の図示しないＣＣＤは、撮影レンズの後段に配置され、撮影レンズを透過した被写体光を受光し、受光した被写体光を各受光素子によって電気信号に変換する。この電気信号は、撮像制御手段２１から供給される垂直転送クロック及び水平転送クロックに同期して、各画素に蓄積された電荷を１ラインずつシリアルな画像信号として撮像制御手段２１に出力される。
【００３９】
ＣＣＤから出力される画像信号はアナログ信号であり、このアナログの画像信号は、撮像制御手段２１の図示しない相関二重サンプリング回路（ＣＤＳ）によりノイズが除去され、図示しない自動ゲインコントロール回路（ＡＧＣ）により所定のゲインで増幅される。さらに、このアナログの画像信号は、図示しないＡ／Ｄ変換器により所定ビットの階調幅を持ったデジタルの画像信号に変換され、メモリ１５に記憶される。この画像信号は、いわゆるＲＡＷデータであり、画素ごとＲ、Ｇ、Ｂの濃度を示す階調値を有している。ＲＡＷデータは、ＣＣＤの傷補正等の処理を行ってからメモリ１５に記憶してもよい。
【００４０】
ＲＡＷファイル生成手段２３は、メモリ１５に記憶されたＲＡＷデータと、露出条件や撮影レンズの焦点距離等の撮影条件や、撮影レンズの収差情報、ＣＣＤの大きさ情報等の撮影情報とを、１つのファイルとしてＲＡＷファイルを生成する。
【００４１】
記録媒体１４には、ＲＡＷファイルを記録するための所定の容量のＲＡＷファイル記録領域が存在する。ＲＡＷファイル記録領域以外の領域は、ＪＰＥＧファイルを記録するためのＪＰＥＧファイル記録領域として使用される。記録媒体制御手段２５は、記録媒体１４に対してデータの読み／書きを制御する手段であり、ＲＡＷファイル生成手段２３が生成したＲＡＷファイルを記録媒体１４のＲＡＷファイル記録領域に記録する。
【００４２】
画像処理手段２２は、図示しないホワイトバランスゲイン算出回路、ゲイン補正回路、階調補正回路、ＲＧＢ補間演算回路、ＲＧＢ／ＹＣ変換回路、ノイズフィルタ、輪郭強調回路等から構成される。
【００４３】
ホワイトバランスゲイン算出回路は、ホワイトバランス調整用のゲイン値を算出する。ゲイン補正回路は、ホワイトバランスゲイン算出回路で算出されたゲイン値を用いてホワイトバランス調整を行う。階調補正回路は、ホワイトバランス調整された画像信号に、所定の階調変換処理（いわゆるガンマ補正）を施す。
【００４４】
ＲＧＢ補間演算回路は、階調変換処理されたＲ、Ｇ、Ｂの色信号を補間演算して、各画素位置におけるＲ、Ｇ、Ｂ３色の信号を求める。例えば、Ｒを出力する画素では、この画素位置におけるＧ、Ｂの色信号がどの程度になるかを周りの画素のＧ、Ｂ信号から補間演算により求める。ＲＧＢ／ＹＣ変換回路は、ＲＧＢ補間演算後のＲ、Ｇ、Ｂ信号から輝度信号Ｙと色差信号Ｃｒ、Ｃｂを生成する。
【００４５】
ノイズフィルタは、輝度信号Ｙと色差信号Ｃｒ、Ｃｂからノイズを低減する処理を行う。輪郭強調回路は、ノイズ低減後の輝度信号Ｙに対して輪郭強調処理を行う。
【００４６】
このように、画像処理手段２２は、Ｒ、Ｇ、Ｂの各色の画像信号に対して所定の信号処理を施し、輝度信号Ｙと色差信号Ｃｒ、Ｃｂとからなる画像信号（Ｙ／Ｃ信号）を生成する。このＹ／Ｃ信号は、メモリ１５に記憶される。
【００４７】
圧縮・伸張手段２４は、メモリ１５から取り込んだＹ／Ｃ信号にＪＰＥＧ形式の圧縮処理を施し、ＪＰＥＧファイルを生成する。記録媒体制御手段２５は、このＪＰＥＧファイルを記録媒体１４のＪＰＥＧファイル記録領域に記録する。また、圧縮・伸張手段２４は、入力されたＪＰＥＧファイルに所定形式の伸張処理を施して、非圧縮の画像データを生成することも可能である。
【００４８】
表示媒体１３は、表示手段２６の制御に従って、撮影モードにおいては動画（スルー画）を表示して電子ビューファインダとして使用できるとともに、撮影した記録前の画像（プレビュー画像）を表示することができる。また、再生モードにおいては、記録媒体１４から読み出した再生画像等を表示することができる。
【００４９】
次に、デジタルカメラ１の撮影、画像処理、及び記録動作について、図２のフローチャートを用いて説明する。なお、デジタルカメラ１は、前述のようにＲＡＷファイル生成手段２３を備え、記録媒体１４にはＲＡＷファイル記録領域を備えている。しかしながら、デジタルカメラ１には、ＲＡＷデータ記録モードのような、ユーザが意図してＲＡＷデータを記録するための動作モードは存在しない。したがって、ユーザは、ＲＡＷデータを記録していることを認識せずに、ＲＡＷデータを記録しないカメラとしてデジタルカメラ１を使用することになる。ユーザからＲＡＷデータの存在を認識されることはないので、撮影後に、ユーザがＲＡＷデータを指定して、そのデータの送信等を行うようなことはできない。
【００５０】
デジタルカメラ１は、最初に、記録媒体１４にＲＡＷファイルを記録するためのＲＡＷファイル記録領域が存在するか否かを判定する（ステップＳ１）。ＲＡＷファイル記録領域が存在する場合は、次に、ＲＡＷファイル記録領域に所定の空き容量があるか否かを判定する（ステップＳ２）。所定の空き容量が無い場合は、所定の空き容量が確保できるまで、ＲＡＷファイル記録領域に記録されている最も古いＲＡＷファイルを消去する（ステップＳ３）。なお、消去するＲＡＷファイルは、一定以上の時間が経過したＲＡＷファイルであってもよい。
【００５１】
ステップＳ１で、ＲＡＷファイル記録領域が存在しないと判断した場合は、記録媒体１４に所定の容量のＲＡＷファイル記録領域を確保することが可能か否かを判定する（ステップＳ４）。可能と判断した場合は、記録媒体１４に所定の容量のＲＡＷファイル記録領域を確保する（ステップＳ５）。
【００５２】
ここで、ＲＡＷファイル記録領域を確保することが不可能と判断した場合は、記録媒体１４に空き容量が存在するか否かを判定する（ステップＳ１０）。記録媒体１４に空き容量が無い場合は、撮影画像を保存する領域が存在しないので、処理を終了する。
【００５３】
記録媒体１４に空き容量が存在する場合は、デジタルカメラ１は、ＪＰＥＧ撮影モードとして動作する（ステップＳ１１）。ＪＰＥＧ撮影モードは、撮影した画像を、ＪＰＥＧファイルとしてのみ、記録媒体１４に記録するモードである。ＪＰＥＧ撮影モードにおいて、デジタルカメラ１の図示しないシャッタボタンが操作されて本撮影が行われると、撮像手段１１のＣＣＤから入力された画像信号から、画像処理手段２２、圧縮・伸張手段２４によりＪＰＥＧファイルが生成される。記録媒体制御手段２５は、このＪＰＥＧファイルを記録媒体１４に記録する（ステップＳ１２）。
【００５４】
このように、記録媒体１４の空き容量不足でＲＡＷファイル記録領域が確保できない場合は、ＪＰＥＧ撮影モードとして動作し、撮影した画像をＪＰＥＧファイルとして記録する。
【００５５】
これに対し、ステップＳ２においてＲＡＷファイル記録領域に所定の空き容量が存在する場合、ステップＳ３においてＲＡＷファイルを破棄してＲＡＷファイル記録領域に所定の空き容量を確保した場合、及びステップＳ５においてＲＡＷファイル記録領域を確保した場合は、ＪＰＥＧファイル記録領域に空き容量が存在するか否かを判定する（ステップＳ６）。
【００５６】
ＪＥＰＧファイル記録領域に空き容量が存在しない場合は、ＲＡＷファイル記録領域に記録されているＲＡＷファイルを全て消去し、ＲＡＷファイル記録領域を開放する（ステップＳ９）。この開放された領域はＪＰＥＧファイル記録領域として確保され、デジタルカメラ１はＪＰＥＧ記録モードとして動作する（ステップＳ１１）。
【００５７】
ＪＰＥＧファイル記録領域に空き容量が存在する場合は、ＲＡＷ＋ＪＰＥＧ記録モードに設定する（ステップＳ７）。ＲＡＷ＋ＪＰＥＧ撮影モードは、撮影した画像を、ＲＡＷファイルとＪＰＥＧファイルの２つのファイルとして、それぞれ関連付けて記録媒体１４に記録するモードである。ＲＡＷ＋ＪＰＥＧ撮影モードにおいて、デジタルカメラ１の図示しないシャッタボタンが操作されて本撮影が行われると、撮像手段１１のＣＣＤから入力された画像信号から、ＲＡＷファイル生成手段２３によりＲＡＷファイルが生成される。記録媒体制御手段２５は、このＲＡＷファイルを記録媒体１４に記録する（ステップＳ８）。
【００５８】
さらに、同じ画像信号から、画像処理手段２２、圧縮・伸張手段２４によりＪＰＥＧファイルが生成される。記録媒体制御手段２５は、このＪＰＥＧファイルをステップＳ８で記録したＲＡＷファイルと関連付けて記録媒体１４に記録する（ステップＳ１２）。関連付けて記録するためには、同じファイル名を用いて、拡張子だけが異なるファイルとして記録する。例えば、ＲＡＷファイルには「gazou1.raw」、ＪＰＥＧファイルには「gazou1.jpg」のようにファイル名を付して記録する。
【００５９】
このように、ＲＡＷファイル記録領域とＪＰＥＧファイル記録領域が確保できる場合は、デジタルカメラ１はＲＡＷ＋ＪＰＥＧ撮影モードで動作し、撮影した画像をＲＡＷファイルとＪＰＥＧファイルの２つのファイルとして関連付けて記録する。
【００６０】
次に、デジタルカメラ１の撮影済み画像の再生時の動作について、図３のフローチャートを用いて説明する。
【００６１】
前述のように、デジタルカメラ１は、再生モードにおいて、記録媒体１４から読み出した再生画像を表示媒体１３に表示することが可能である。ユーザは、デジタルカメラ１を図示しない操作部を用いて再生モードに設定し、再生する画像を選択する（ステップＳ２１）。この再生する画像の選択は、記録媒体１４に記録されたＪＰＥＧファイルを選択することにより行われる。記録媒体制御手段２５は、選択された画像のＪＰＥＧファイルを記録媒体１４のＪＰＥＧファイル記録領域から読み出してメモリ１５に展開し、圧縮・伸張手段２４は、メモリ１５に展開されたＪＰＥＧファイルに所定形式の伸張処理を施してＹＣデータに変換する。表示手段２６は、このＹＣデータを用いて選択された画像を表示媒体１３に再生表示する（ステップＳ２２）。
【００６２】
ここで、記録媒体１４のＲＡＷファイル記録領域に、選択されたＪＰＥＧファイルと関連付けて記録されたＲＡＷファイルが存在するか否かを判定する（ステップＳ２３）。
【００６３】
ＲＡＷファイルが存在しない場合は、その後、ユーザが図示しないメニューキーを操作すると、図４（ａ）に示すような、トリミング、リサイズ、文字書き入れ、といった簡易なレタッチメニュー１０１を、選択された画像に重ねて表示する。
【００６４】
ユーザが図示しない操作部を用いて、レタッチメニュー１０１のいずれかの項目を選択すると（ステップＳ２５）、その操作に従って画像処理手段２２はメモリ１５に伸張したＹＣデータに対して加工処理を施し（ステップＳ２６）、加工処理されたＹＣデータは圧縮・伸張手段２４により再度ＪＰＥＧファイルに圧縮され、圧縮されたＪＰＥＧファイルは記録媒体制御手段２５により記録媒体１４のＪＰＥＧファイル記録領域に記録される（ステップＳ２７）。
【００６５】
このように、ＲＡＷファイルが存在しない画像については、簡易なレタッチメニュー１０１を表示し、レタッチメニュー１０１のうち選択された項目に応じてＪＰＥＧファイルに処理を施す。
【００６６】
ステップＳ２３において、関連付けられたＲＡＷファイルが存在する場合は、その後、ユーザが図示しないメニューキーを操作すると、図４（ｂ）に示すような、トリミング、リサイズ、文字書き入れ、といった簡易なレタッチメニュー１０１と共に、色温度、色合い、彩度、といった画質調整メニュー１０２を、選択された画像に重ねて表示する。画質調整メニュー１０２は、階調、コントラスト、シャープネス、ノイズ低減等を表示してもよい。
【００６７】
ユーザが図示しない操作部を用いて、画質調整メニュー１０２のいずれかの項目を選択すると（ステップＳ３２）、記録媒体制御手段２５は、記録媒体１４から選択されたＪＰＥＧファイルと関連付けられて記録されているＲＡＷファイルを読み出し、メモリ１５に展開する。ユーザの操作に従って画像処理手段２２は、このＲＡＷデータに対して加工処理を施し（ステップＳ３３）、加工処理されたＲＡＷデータは圧縮・伸張手段２４によりＪＰＥＧファイルに圧縮され、圧縮されたＪＰＥＧファイルは記録媒体制御手段２５により記録媒体１４のＪＰＥＧファイル記録領域に記録される（ステップＳ３４）。すでに存在しているＪＰＥＧファイルに上書きして記録してもよいし、異なるファイル名で関連付けて記録してもよい。
【００６８】
このように、ＲＡＷファイルが存在する画像については、簡易なレタッチメニュー１０１と共に画質調整メニュー１０２を表示し、画質調整メニュー１０２のうち選択された項目に応じてＲＡＷデータに対して画像処理を行い、ＪＰＥＧファイルに圧縮し、記録する。
【００６９】
また、レタッチメニュー１０１のいずれかの項目が選択された場合は（ステップＳ３５）、画像処理手段２２は、メモリ１５に伸張したＹＣデータに対して選択された項目に応じた加工処理を施し（ステップＳ３６）、加工処理されたＹＣデータは圧縮・伸張手段２４により再度ＪＰＥＧファイルに圧縮され、圧縮されたＪＰＥＧファイルは記録媒体制御手段２５により記録媒体１４のＪＰＥＧファイル記録領域に記録される（ステップＳ３７）。
【００７０】
このように、ＲＡＷファイルが存在する画像であっても、簡易なレタッチメニューが選択された場合には、ＪＰＥＧファイルに対して処理を施す。なお、簡易なレタッチメニューが選択された場合に、ＲＡＷファイルに対して画像処理を行い、ＪＰＥＧファイルに圧縮し、記録してもよい。
【００７１】
なお、選択された画像を再生表示する際に、選択されたＪＰＥＧファイルと関連付けて記録されたＲＡＷファイルが存在する場合に、画質調整が可能な旨を通知してもよい。例えば、図４（ｃ）に示すように、画質調整可能告知１０３及び選択メニュー１０４の表示を行う。
【００７２】
ユーザが、選択メニュー１０４から「いいえ」（画像調整しない）の項目を選択した場合は、関連付けて記録されたＲＡＷファイルを消去する。ＲＡＷファイルは画像調整を行うときのために記録しており、画像調整をしない場合は、記録媒体１４の記録容量の圧迫を回避するために消去する。
【００７３】
ユーザが、選択メニュー１０４から「はい」（画像調整する）の項目を選択した場合は、図４（ｂ）に示すように、簡易なレタッチメニューと共に画質調整メニューの表示を行う。
【００７４】
ユーザが、選択メニュー１０４から「保留」の項目を選択した場合は、ＲＡＷファイルは消去せずにそのまま残し、表示媒体１３での再生表示のみを行う。その後、改めて再生表示する画像として選択された場合に、ＲＡＷファイルが残っていれば、図４（ｂ）に示すように、簡易なレタッチメニュー１０１と共に画質調整メニュー１０２の表示を行う。改めて再生表示する画像として選択された場合に、図４（ｃ）に示すように、画質調整可能告知１０３及び選択メニュー１０４を再通知してもよい。
【００７５】
このように構成することで、ユーザは、撮影時には撮影に専念することができ、一連の撮影後に、イメージとの違いや撮影失敗、設定ミスなどに対して、画質を劣化させることなく画質調整によるリカバリが可能となる。
【００７６】
本実施の形態では、ＲＡＷファイルとＪＰＥＧファイルを記録媒体１４に記録したが、記録するデータ形式はこれらに限定されるものではない。例えば、未処理の画像データとしてＲＡＷファイルではなくＲＡＷデータをそのまま記録してもよいし、処理済みの画像データとしてＪＰＥＧファイルではなくその他の圧縮ファイルを用いてもよい。また、非圧縮のファイルであってもよい。
【００７７】
また、未処理の画像データと処理済みの画像データは関連付けて記録されるため、処理済みの画像データがユーザにより消去された場合には未処理の画像データも自動的に消去する。ユーザは未処理の画像データが記録されていることを意識しておらず、未処理の画像データをユーザが意図して消去することはない。
【００７８】
なお、表示媒体１３等を用いて撮影可能枚数をユーザに告知する場合は、ＲＡＷファイルの記録状況にかかわらず、記録媒体１４の残容量とＪＰＥＧファイルの平均容量から求めた枚数を告知すればよい。ＲＡＷファイルを記録していることをユーザは認識しておらず、また、ＪＰＥＧファイル記録領域に空き容量が無くなった場合には、ＲＡＷファイル記録領域を開放し、開放した領域をＪＰＥＧファイル記録領域として確保するため、最終的には記録媒体１４はＪＰＥＧファイルだけが記録されるからである。
【００７９】
＜第２の実施の形態＞
図５は、第２の実施の形態のデジタルカメラ１の電気的構成を示すブロック図である。なお、図１に示すブロック図と共通する部分には同一の符号を付し、その詳細な説明は省略する。図１に示すブロック図とは、記録媒体１４の代わりに、内部記録媒体１６と外部記録媒体１７とを備えているところが異なっている。
【００８０】
内部記録媒体１６は、デジタルカメラ１に内蔵されたＮＡＮＤ−Ｆｌａｓｈメモリであり、外部記録媒体１７は、デジタルカメラ１に着脱可能に構成されたメモリーカードである。記録媒体制御手段２５は、メモリ１５に展開されたＲＡＷファイルを内部記録媒体１６に、圧縮・伸張手段により圧縮されたＪＰＥＧファイルを外部記録媒体１７に、それぞれ関連付けて記録することが可能である。
【００８１】
次に、第２の実施の形態のデジタルカメラ１の撮影、画像処理、及び記録動作について、図６のフローチャートを用いて説明する。なお、第２の実施の形態のデジタルカメラ１についても、ＲＡＷデータ記録モードのような、ユーザが意図してＲＡＷデータを記録するための動作モードは存在せず、ユーザは、ＲＡＷデータを記録していることを認識することはない。
【００８２】
デジタルカメラ１は、最初に、外部記録媒体１７が装着されているか否かを判定する（ステップＳ４１）。外部記録媒体１７が装着されていない場合は、内部記録媒体１６に記録されいるＲＡＷファイルを全て消去する（ステップＳ５１）。さらに、内部記録媒体１６に空き容量が存在するか否かを判定する（ステップＳ５２）。内部記録媒体１６に空き容量が存在しない場合は、撮影画像を保存する領域が存在しないので、処理を終了する。
【００８３】
内部記録媒体１６に空き容量が存在する場合は、デジタルカメラ１は、ＪＰＥＧ撮影モードに設定される（ステップＳ５３）。ＪＰＥＧ撮影モードは、撮影した画像を、ＪＰＥＧファイルとしてのみ、内部記録媒体１６に記録するモードである。ＪＰＥＧ撮影モードにおいて、デジタルカメラ１の図示しないシャッタボタンが操作されて本撮影が行われると、撮像手段１１のＣＣＤから入力された画像信号から、画像処理手段２２、圧縮・伸張手段２４によりＪＰＥＧファイルが生成される。記録媒体制御手段２５は、このＪＰＥＧファイルを内部記録媒体１６に記録する（ステップＳ４８）。
【００８４】
このように、デジタルカメラ１に外部記録媒体１７が装着されていない場合は、デジタルカメラ１はＪＰＥＧ撮影モードに設定され、撮影した画像をＪＰＥＧファイルとして内部記録媒体１６に記録する。
【００８５】
ステップＳ４１において、外部記録媒体１７が装着されていると判断した場合は、次に、内部記録媒体１６にＪＰＥＧファイルが存在するか否かを判定する（ステップＳ４２）。内部記録媒体１６にＪＰＥＧファイルが存在する場合は、このＪＰＥＧファイルを外部記録媒体１７に移動できるか否かを判定する（ステップＳ４５）。外部記録媒体１７の空き容量不足によりファイルの移動ができない場合は、内部記録媒体１６に空き容量が存在するか否かを判定する（ステップＳ５２）。前述のように、内部記録媒体１６に空き容量が存在しない場合は処理を終了し、空き容量が存在する場合は、ＪＰＥＧ撮影モードに設定される（ステップＳ５３）。
【００８６】
このように、空き容量不足の外部記録媒体１７が装着された場合も、デジタルカメラ１はＪＰＥＧ撮影モードに設定され、撮影した画像をＪＰＥＧファイルとして内部記録媒体１６に記録する。
【００８７】
ステップＳ４２において、内部記録媒体１６にＪＰＥＧファイルが存在しないと判断した場合は、内部記録媒体１６に所定の空き容量が存在するか否かを判定する（ステップＳ４３）。ＪＰＥＧファイルが存在せず、さらに所定の空き容量が存在しない場合は、ＲＡＷファイルが記録されていると判断し、所定の空き容量が確保できるまで最も古いＲＡＷファイルを消去する（ステップＳ４４）。
【００８８】
ステップＳ４４においてＲＡＷファイルを消去して内部記録媒体１６に所定の空き容量を確保した場合、ステップＳ４３において内部記録媒体１６に所定の空き容量が存在した場合、及びステップＳ４５において内部記録媒体１６に記録されたＪＰＥＧファイルを外部記録媒体１７に移動して内部記録媒体１６に所定の空き容量を確保した場合は、デジタルカメラ１は、ＲＡＷ＋ＪＰＥＧ記録モードに設定される（ステップＳ４６）。ＲＡＷ＋ＪＰＥＧ撮影モードは、撮影した画像に対し、ＲＡＷファイルを内部記録媒体１６に、ＪＰＥＧファイルを外部記録媒体１７に、それぞれ関連付けて記録するモードである。ＲＡＷ＋ＪＰＥＧ撮影モードにおいて、デジタルカメラ１の図示しないシャッタボタンが操作されて本撮影が行われると、撮像手段１１のＣＣＤから入力された画像信号から、ＲＡＷファイル生成手段２３によりＲＡＷファイルが生成される。記録媒体制御手段２５は、このＲＡＷファイルを内部記録媒体１６に記録する（ステップＳ４７）。
【００８９】
さらに、同じ画像信号から、画像処理手段２２、圧縮・伸張手段２４によりＪＰＥＧファイルが生成される。記録媒体制御手段２５は、このＪＰＥＧファイルをステップＳ４７で記録したＲＡＷファイルと関連付けて外部記録媒体１７に記録する（ステップＳ４８）。
【００９０】
このように、内部記録媒体１６と外部記録媒体１７に記録領域が確保できる場合は、ＲＡＷ＋ＪＰＥＧ撮影モードとして動作し、撮影した画像についてＲＡＷファイルを内部記録媒体１６に、ＪＰＥＧファイルを外部記録媒体１７に、関連付けて記録する。
【００９１】
以上のように、第２の実施の形態のデジタルカメラ１によれば、外部記録媒体１７にはＲＡＷファイルを記録しないため、ユーザはＲＡＷデータが記録されていることを意識することがなく、また、ＲＡＷファイルによる外部記録媒体１７の容量の圧迫を回避することができる。さらに、内部記録媒体１６にはＲＡＷデータが記録されるために、ユーザは、所定枚数を遡って画質を劣化させることなく画像処理を行うことが可能となる。
【図面の簡単な説明】
【００９２】
【図１】図１は、本発明に係るデジタルカメラ１の電気的構成を示すブロック図である。
【図２】図２は、デジタルカメラ１の撮影、画像処理、及び記録動作を示すフローチャートである。
【図３】図３は、デジタルカメラ１の撮影済み画像の再生時の動作を示すフローチャートである。
【図４】図４は、選択された画像に重ねてメニューを表示した表示媒体１３を示す図である。
【図５】図５は、第２の実施の形態のデジタルカメラ１の電気的構成を示すブロック図である。
【図６】図６は、第２の実施の形態のデジタルカメラ１の撮影、画像処理、及び記録動作を示すフローチャートである。
【符号の説明】
【００９３】
１…デジタルカメラ、１１…撮像手段、１２…カメラ制御手段、１３…表示媒体、１４…記録媒体、１５…メモリ、１６…内部記録媒体、１７…外部記録媒体、２１…撮像制御手段、２２…画像処理手段、２３…ＲＡＷファイル生成手段、２４…圧縮・伸張手段、２５…記録媒体制御手段、２６…表示手段、１０１…レタッチメニュー、１０２…画質調整メニュー、１０３…画質調整可能告知、１０４…選択メニュー
【図１】
2009303122.tif 000003
【図２】
2009303122.tif 000004
【図３】
2009303122.tif 000005
【図４】
2009303122.tif 000006
【図５】
2009303122.tif 000007
【図６】
2009303122.tif 000008